(57)【要約】      （修正有）【課題】製品が箱に入った状態でも抜き取ることができ、かつ、形状安定性に優れた仕切体を提供する。【解決手段】１又は複数枚の縦仕切板２と複数枚の横仕切板３ａ〜３ｅとを備え、上記縦仕切板２が下端縁側から形成される複数のスリットを有し、上記横仕切板が上端縁側から形成される１又は複数のスリットを有し、上記縦仕切板２及び横仕切板がそれぞれのスリットにより垂直に組み立てられる様に仕切体１を形成する。上記複数枚の横仕切板のうちの隣り合う２枚の横仕切板の対向する一方の側縁間を連結する１又は複数枚の連結板６ａ〜６ｄと、少なくとも１枚の上記連結板の下端縁から延出し、上記隣り合う２枚の横仕切板の間隔と等しい幅部分を有する固定板７ａ等とをさらに備える。【選択図】図１
0003174085.tif 000002
【実用新案登録請求の範囲】
【請求項１】
１又は複数枚の縦仕切板と複数枚の横仕切板とを備え、
上記縦仕切板が上端縁又は下端縁の一方側から形成される複数のスリットを有し、
上記横仕切板が上端縁又は下端縁の他方側から形成される１又は複数のスリットを有し、
上記縦仕切板及び横仕切板がそれぞれのスリットにより垂直に組み立てられる仕切体であって、
上記複数枚の横仕切板のうちの隣り合う２枚の横仕切板の対向する一方の側縁間を連結する１又は複数枚の連結板と、
少なくとも１枚の上記連結板の下端縁から延出し、上記隣り合う２枚の横仕切板の間隔と等しい幅部分を有する固定板と
をさらに備えることを特徴とする仕切体。
【請求項２】
上記複数枚の横仕切板が１又は複数枚の連結板により連結された１枚のシート材からなり、このシート材における横仕切板と連結板との連結部に弱化線を有する請求項１に記載の仕切体。
【請求項３】
一の上記横仕切板の両側縁にそれぞれ連結する２枚の上記連結板を備え、この２枚の連結板の各下端縁から延出する２枚の上記固定板を備える請求項１又は請求項２に記載の仕切体。
【請求項４】
上記固定板の上端縁の幅が上記隣り合う２枚の横仕切板の間隔より狭く、
上記固定板の形状が上下方向の対称軸に対して線対称である請求項１、請求項２又は請求項３に記載の仕切体。
【請求項５】
上記固定板の下端縁が円弧状に湾曲した形状を有する請求項１から請求項４のいずれか１項に記載の仕切体。
【考案の詳細な説明】
【技術分野】
【０００１】
本考案は、通い箱や段ボール箱等の箱内に収容して箱内を仕切る仕切体に関する。
【背景技術】
【０００２】
通い箱や段ボール箱等の箱に製品を複数個を収納する場合、製品同士の接触による傷つきや破損、及び物流、保管時の移動、振動、積み重ね等の負荷による変形や破損を防ぐために緩衝材として様々なものが用いられている。一般的に、このような緩衝材の中でも、利用のしやすさ及び経済的な観点等から段ボール紙等、板状のシート材からなる仕切体が広く用いられている。
【０００３】
この仕切体は、空間を縦方向に仕切る縦仕切板と、空間を横方向に仕切る横仕切板とを備え、これらが垂直に組み合わされて形成される。ここで、空間を６区画以上に仕切る場合は、底板により連結された２枚以上の横仕切板を備える、いわゆる舟形仕切体と呼ばれるものが用いられている（特開平１１−３０１６４６号公報、特開平１１−３４８９７１号公報及び特開２００４−２７６９２４号公報参照）。
【０００４】
このような舟形仕切体は、底板を備えることで組み立てた際の形状が安定し、その形状を維持することができる。しかし、この舟形仕切体を用いた箱に製品を収納した状態において、箱から舟形仕切体を取り除こうとすると、底板が邪魔になり、仕切体だけを抜き取ることができない。そのため、製品を箱に入れた状態で展示したいような場合、一端製品を取り出した後に、舟形仕切体を取り出し、再度製品を箱に収納するという作業が必要となる。また、舟形仕切体を用いると、箱の底において、底板がある部分と無い部分とが生じる。このため、製品を収納した際に、収納した部分により底板の厚み分だけ製品の高さがずれ、その状態で展示した際の不統一感が生じるという不都合もある。
【先行技術文献】
【特許文献】
【０００５】
【特許文献１】特開平１１−３０１６４６号公報
【特許文献２】特開平１１−３４８９７１号公報
【特許文献３】特開２００４−２７６９２４号公報
【考案の概要】
【考案が解決しようとする課題】
【０００６】
本考案はこれらの事情に鑑みてなされたものであり、底板を有さず、製品が箱に入った状態でも抜き取ることができ、かつ、形状安定性に優れた仕切体の提供を目的とするものである。
【課題を解決するための手段】
【０００７】
上記課題を解決するためになされた考案は、
１又は複数枚の縦仕切板と複数枚の横仕切板とを備え、
上記縦仕切板が上端縁又は下端縁の一方側から形成される複数のスリットを有し、
上記横仕切板が上端縁又は下端縁の他方側から形成される１又は複数のスリットを有し、
上記縦仕切板及び横仕切板がそれぞれのスリットにより垂直に組み立てられる仕切体であって、
上記複数枚の横仕切板のうちの隣り合う２枚の横仕切板の対向する一方の側縁間を連結する１又は複数枚の連結板と、
少なくとも１枚の上記連結板の下端縁から延出し、上記隣り合う２枚の横仕切板の間隔と等しい幅部分を有する固定板と
をさらに備えることを特徴とする。
【０００８】
当該仕切体においては、少なくとも一対の隣り合う２枚の横仕切板がその一方の側縁同士を連結する連結板により連結されている。このように、当該仕切体は上記連結板を備え、底板を有さないため、製品が箱に入った状態でも抜き取ることができ、また、製品を収納した際の製品の高さのずれが生じない。さらに当該仕切体においては、上記連結板の下端縁から延出する固定板が、上記隣り合う２枚の横仕切板の間隔と等しい幅部分を有する。従って、当該仕切体によれば、箱内部側へこの固定板を折り曲げた際、固定板の両側縁が２枚の左右の横仕切板と接するため、垂直に組み立てられた縦仕切板及び横仕切板の状態を維持することができ、形状安定性に優れる。
【０００９】
上記複数枚の横仕切板が１又は複数枚の連結板により連結された１枚のシート材からなり、このシート材における横仕切板と連結板との連結部に弱化線を有することが好ましい。このように複数枚の横仕切板が一枚のシート材からなり、弱化線を介して連結していることで、組み立てが容易になると共に、形状安定性がより高まる。
【００１０】
当該仕切体は、一の上記横仕切板の両側縁にそれぞれ連結する２枚の上記連結板を備え、この２枚の連結板の各下端縁から延出する２枚の上記固定板を備えるとよい。このような位置に２枚の固定板を設けることで、当該仕切体の形状安定性をさらに高めることができる。
【００１１】
上記固定板の上端縁の幅が上記隣り合う２枚の横仕切板の間隔より狭く、上記固定板の形状が上下方向の対称軸に対して線対称であることが好ましい。このような形状の固定板を設けることで、高い形状安定性を発揮しつつ、この固定板の折り曲げを容易にすることができる。
【００１２】
上記固定板の下端縁が円弧状に湾曲した形状を有するとよい。このように固定板の下端縁が円弧状に湾曲させることで、円柱状の製品の出し入れ、及び円柱状の製品を収納した際の、当該仕切体の箱からの抜き出しをより容易に行うことができる。
【考案の効果】
【００１３】
以上説明したように、本考案の仕切体は、製品が箱に入った状態でも抜き取ることができ、かつ、形状安定性に優れる。
【図面の簡単な説明】
【００１４】
【図１】本考案の一実施形態に係る仕切体を示す斜視図である。
【図２】図１の仕切体を示す平面図である。
【図３】図１の仕切体の縦仕切板を示す平面図である。
【図４】図１の仕切体の横仕切板等を構成するシート材を示す平面図である。
【考案を実施するための形態】
【００１５】
以下、適宜図面を参照しつつ、本考案の仕切体の実施の形態を詳説する。
【００１６】
図１の仕切体１は、１枚の縦仕切板２と５枚の横仕切板３（３ａ〜３ｅ）とを主に備えている。
【００１７】
縦仕切板２は、図３に示すように、１枚のシート材からなり、略矩形形状を有する。
【００１８】
上記シート材の材質としては、シート状を形成することができ、仕切体の素材としての一定の強度及びクッション性を有するものであれば特に限定されず、厚紙等の紙類や、ポリビニル樹脂等の合成樹脂等を用いることができる。この中でも厚紙、特に段ボール紙が好適に用られる。シート材が、段ボール紙からなることで、加工及び折り曲げによる組み立てを容易に行うことができる。また、シート材が段ボール紙からなることで、適度な厚みを有するためにクッション性に優れるとともに、形状が箱内で安定して固定される。
【００１９】
上記シート材に用いられる段ボール紙は、波状の中芯と、この中芯の片面又は両面に張り合わされるライナとからなる構造を有している。上記シート材においては、中芯の尾根方向が縦仕切板２の高さ方向と垂直になるように構成されることが好ましい。
【００２０】
縦仕切板２の大きさとしては特に限定されず、この仕切体１を用いる通い箱や段ボール箱等の大きさに応じて適宜設定される。
【００２１】
図３に示すように、縦仕切板２は、下端縁から上方向に向かって形成される５つのスリット４を有する。この５つのスリット４は略等間隔で形成されており、縦仕切板２の幅を略６等分する位置に形成されている。このスリット４の数は、横仕切板３の数に対応している。
【００２２】
スリット４の幅は、横仕切板３の厚みに対応しており、例えば１ｍｍ以上８ｍｍ以下程度である。スリット４の長さは、縦仕切板２の高さの半分の長さ程度である。
【００２３】
スリット４は略帯状形状であるが、一方の側縁の下側部分が開口方向に向かって広がるように傾斜している。スリット４がこのように形成されることで、このスリット４への横仕切板３の挿入を容易にする。また、スリット４の他方の側縁の先端には開口を妨げるような突片５が形成されている。この突片５に横仕切板３の下端縁が引っ掛かるため、縦仕切板２を持ち上げた際に、横仕切板３もずれ落ちずに一体となって持ち上げることができる。
【００２４】
縦仕切板２の下側の両頂点は略円弧状に丸みを帯びた状態となっている。このように下側の両頂点の角がとれていることで、箱への当該仕切体１の挿入を容易にすることができる。
【００２５】
図１及び図４等に示されるように、５枚の横仕切板３（３ａ〜３ｅ）は、４枚の連結板６（６ａ〜６ｄ）を介して連結している。具体的には、例えば、隣り合う横仕切板３ａと横仕切板３ｂとは、組み立てたときに対向する一方の側縁間が連結板６ａで連結されている。また、連結板６ｂ及び連結板６ｃの下端縁からは、それぞれ固定板７ａ及び固定板７ｂが延出している。
【００２６】
このように５枚の横仕切板３、４枚の連結板６及び２枚の固定板７は、一枚のシート材８からなる。このように複数枚の横仕切板３、連結板６及び固定板７が一枚のシート材８からなることで、組み立てが容易になると共に、形状安定性がより高まる。
【００２７】
また、一枚のシート材８において、各横仕切板３、連結板６及び固定板７の連結部に弱化線を有する。この弱化線としては、ミシン目線やハーフカット線等を挙げることができる。このように各板が弱化線を介して連結されていることで、組み立てを容易に行うことができる。
【００２８】
シート材８の材質としては、縦仕切板２を構成するシート材と同様のものを挙げることができ、段ボール紙が好ましい。この際、中芯の尾根方向が横仕切板３の高さ方向と垂直になるように構成されることが好ましい。
【００２９】
各横仕切板３は、略方形状を有している。この大きさは、縦仕切板２と同様に、この仕切体１を用いる通い箱や段ボール箱等の大きさに応じて適宜設定される。なお、横仕切板３の高さは、縦仕切板２の高さと等しい。
【００３０】
各横仕切板３は、略下側半分の幅が下側に向かって狭まった形状を有している。このように下側に向かって狭まった形状を有することで、当該仕切体１の箱への挿入を容易にしている。
【００３１】
各横仕切板３は、上端縁中央から下方向に向かって形成されるスリット９をそれぞれ有する。スリット９の幅は、縦仕切板２の厚みに対応しており、例えば１ｍｍ以上８ｍｍ以下程度である。スリット９の長さは、横仕切板３の高さの半分の長さ程度である。
【００３２】
スリット９は略帯状形状であるが、先端部分が開口方向に向かって広がっている。スリット９がこのように形成されることで、このスリット９への縦仕切板２の挿入を容易にする。
【００３３】
各横仕切板３は、下端縁中央に矩形状に形成される切込１０を有する。組み立てた際に、この切込１０に縦仕切板２に設けられた突片５が引っ掛かるため、形状安定性を高めることができる。
【００３４】
各連結板６は、各横仕切板３の側縁の上側部分と連結している。連結板６は略矩形形状を有している。連結板６の高さは横仕切板３の半分程度である。連結板６の幅は、組み立てた際の各横仕切板３の間隔と一致している。すなわち、連結板６の幅は、縦仕切板２に設けられたスリット４の間隔に対応している。連結板６がこのような幅に形成されていることで、当該仕切体１を組み立てた際に、縦仕切板２と各横仕切板３とが垂直な状態になる。
【００３５】
各固定板７は、略方形状を有している。固定板７の長さとしては特に限定されず、例えば横仕切板３の幅の１／１０から１／３の長さ程度である。
【００３６】
各固定板７の下側部分の幅は、それぞれが連結する連結板６の幅、すなわちその連結板６を介して隣り合う２つの横仕切板３の組み立てた際の間隔に略等しい。また、各固定板７の上側部分の幅は、上方向に沿って狭まっている。言い換えれば、各固定板７の上端縁の幅は、それぞれが連結する連結板６の幅、すなわちその連結板６を介して隣り合う２枚の横仕切板３の組み立てた際の間隔より狭い。また、固定板７の形状は、上下方向の対称軸に対して線対称である。さらに各固定板７の下端縁は、円弧状に湾曲した形状を有している。
【００３７】
当該仕切体１は、図１に示されるように、縦仕切板２及び横仕切板３をそれぞれのスリットにより垂直に組み、各固定板７を内側に折り曲げることで組み立てられる。なお、この際、各横仕切板３ａ〜３ｅの左右が、縦仕切板２に対して、同一方向に若干ずれたように組み立てられることが好ましい。このようにすることで、各固定板７を伸ばした際、各横仕切板３が同一方向に倒れやすいので、畳みやすく収納に便利である。
【００３８】
当該仕切体１は連結板６を備え、底板を有さないため、図１のように組み立てて用いた際、製品が箱に入った状態でも抜き取ることができ、また、製品を収納した際の製品の高さのずれが生じない。
【００３９】
当該仕切体１においては、上述のように、固定板７（７ａ及び７ｂ）の下側部分が隣り合う２枚の横仕切板の間隔と等しい。従って、当該仕切体１によれば、箱内部側（縦仕切板２側）へこの固定板７を折り曲げた際、固定板７の両側縁の下側部分が左右２枚の横仕切板６と接する（図２参照）。従って、垂直に組み立てられた縦仕切板２及び横仕切板３の状態を維持することができ、形状安定性に優れる。加えて、当該仕切体１においては、固定板７が複数有り、横仕切板３ｂ、３ｃ及び３ｄにおいては、その両側縁に連結する連結板６にそれぞれ固定板７が設けられるため、特に形状安定性に優れる。
【００４０】
さらには、固定板７の上側部分の幅は下側部分の幅より狭いため、図２に示されるように、固定板７の上側部分の両側縁は各横仕切板の壁面と接していない状態となっている。このような構造を有するため、固定板７の内側への折り曲げ易く、かつ、折り曲げた状態を元に戻しやすい。加えて、固定板７の下端縁が円弧状に湾曲しているため、円柱状の製品の出し入れ、及び円柱状の製品を収納した際の、当該仕切体の箱からの抜き出しを容易に行うことができる。
【００４１】
なお、本発明の仕切体は上記実施形態に限定されるものではない。例えば、横仕切板の枚数は複数枚であれば特に限定されず、収納する商品の数等に応じて適宜設定すればよい。また、連結板及び固定板はそれぞれ少なくとも１枚有していればよい。すなわち、横仕切板、連結板及び固定板が１枚のシート材から形成されていなくともよい。
【００４２】
さらには、複数枚の縦仕切板を有していてもよく、この複数枚の縦仕切板が連結板で連結されていてもよい。このような仕切体によれば、空間をより多くの領域に区切ることができる。
【００４３】
また、スリットが、上記実施形態とは逆に、縦仕切板においては上端縁側から形成し、横仕切板においては下端縁側から形成してもよい。このようにスリットを設けても、縦仕切板と横仕切板とを垂直に組み合わせることができる。
【産業上の利用可能性】
【００４４】
以上のように、本考案の仕切体は通い箱や段ボール箱に収納する製品等を仕切る仕切体として好適に用いることができる。
【符号の説明】
【００４５】
１  仕切体
２  縦仕切板
３、３ａ、３ｂ、３ｃ、３ｄ、３ｅ  横仕切板
４  スリット
５  突片
６、６ａ、６ｂ、６ｃ、６ｄ  連結板
７、７ａ、７ｂ  固定板
８  シート材
９  スリット
１０  切込
【図１】
0003174085.tif 000003
【図２】
0003174085.tif 000004
【図３】
0003174085.tif 000005
【図４】
0003174085.tif 000006